(57)【要約】【課題】調理器が備える各機能の有効活用が図れると共に、ユーザーの利便性を向上できる加熱調理器を提供する。【解決手段】加熱部(４１)により被加熱物を加熱して調理を行うときの加熱設定条件が複数記憶された記憶部(１００c)と、記憶部(１００c)に記憶された複数の加熱設定条件のいずれかに基づいて被加熱物の加熱を行うように、加熱部５１を制御する加熱制御部(１００a)と、加熱制御部(１００a)により記憶部(１００c)に記憶された工場出荷時の加熱設定条件に基づく加熱調理が繰り返し連続して行われた回数をカウントするカウンタ(１００e)と、カウンタ(１００e)によりカウントされた回数が予め設定された回数以上になったとき、記憶部(１００c)に記憶された工場出荷時の加熱設定条件とは異なる他の加熱設定条件での加熱調理を勧める提案をユーザーに報知する報知部(５４)とを備える。【選択図】図１
2015058207.tif 000002
【特許請求の範囲】
【請求項１】
被加熱物を加熱する加熱部と、
上記加熱部により上記被加熱物を加熱して調理を行うときの加熱設定条件が複数記憶され、上記複数の加熱設定条件のうちの１つが工場出荷時の加熱設定条件として設定された記憶部と、
上記記憶部に記憶された上記複数の加熱設定条件のいずれかに基づいて上記被加熱物の加熱を行うように、上記加熱部を制御する加熱制御部と、
上記加熱制御部により上記記憶部に記憶された上記工場出荷時の加熱設定条件に基づく加熱調理が繰り返し連続して行われた回数をカウントするカウンタと、
上記カウンタによりカウントされた回数が予め設定された回数以上になったとき、上記記憶部に記憶された上記工場出荷時の加熱設定条件とは異なる他の加熱設定条件での加熱調理を勧める提案をユーザーに報知する報知部と
を備えたことを特徴とする加熱調理器。
【請求項２】
請求項１に記載の加熱調理器において、
上記記憶部に記憶された上記複数の加熱設定条件は、上記被加熱物に対する炊き方の条件であることを特徴とする加熱調理器。
【請求項３】
請求項１または２に記載の加熱調理器において、
上記加熱制御部による上記被加熱物の加熱調理をユーザーの操作により開始するための操作部を備え、
上記報知部は、上記カウンタによりカウントされた回数が予め設定された回数以上になり、かつ、上記加熱調理を開始するためにユーザーが上記被加熱物の加熱調理を開始するために上記操作部を操作したとき、上記工場出荷時の加熱設定条件とは異なる加熱設定条件での加熱調理を勧める提案をユーザーに報知することを特徴とする加熱調理器。
【請求項４】
請求項１から３までのいずれか1つに記載の加熱調理器において、
上記加熱部により上記被加熱物の加熱するための容器または加熱室と、
上記容器または上記加熱室を開閉する蓋体または扉と、
上記蓋体または上記扉の開閉を検出する開閉検出部と
を備え、
上記報知部は、上記カウンタによりカウントされた回数が予め設定された回数以上になり、かつ、上記開閉検出部が上記蓋体または上記扉が閉状態から開状態になったことを検出したとき、上記工場出荷時の加熱設定条件とは異なる加熱設定条件での加熱調理を勧める提案をユーザーに報知することを特徴とする加熱調理器。
【発明の詳細な説明】
【技術分野】
【０００１】
この発明は、加熱調理器に関する。
【背景技術】
【０００２】
従来、加熱調理器としては、機能を設定する操作において、状況に応じた適切な音声報知を行うものがある(例えば、特開２００６−３４５９７０号公報(特許文献１)参照)。
【０００３】
上記加熱調理器では、各機能の設定状況を表示手段に表示し、各機能の設定状況や次に設定操作すべき内容などを音声により報知することにより、快適で確実な設定操作を実現している。
【先行技術文献】
【特許文献】
【０００４】
【特許文献１】特開２００６−３４５９７０号公報
【発明の概要】
【発明が解決しようとする課題】
【０００５】
しかしながら、上記従来の加熱調理器では、音声ガイダンスにより各機能の設定の操作性をサポートするものである。このような加熱調理器では、音声ガスダンスに従って多くの炊飯メニューを選択可能であるにも関わらず、工場出荷時の加熱設定条件のままで使い続けて、それ以外の加熱設定条件のメニューは使用しないような傾向のユーザーは、他に多くの炊飯メニューを使用しないので、調理器が備える各機能を有効に活用していないという問題がある。
【０００６】
そこで、この発明の課題は、工場出荷時の加熱設定条件で加熱調理を続けることがないように、ユーザーに他の加熱設定条件での加熱調理もあることを報知することによって、調理器が備える各機能の有効活用が図れると共に、ユーザーの利便性を向上できる加熱調理器を提供することにある。
【課題を解決するための手段】
【０００７】
上記課題を解決するため、この発明の加熱調理器は、
被加熱物を加熱する加熱部と、
上記加熱部により上記被加熱物を加熱して調理を行うときの加熱設定条件が複数記憶され、上記複数の加熱設定条件のうちの１つが工場出荷時の加熱設定条件として設定された記憶部と、
上記記憶部に記憶された上記複数の加熱設定条件のいずれかに基づいて上記被加熱物の加熱を行うように、上記加熱部を制御する加熱制御部と、
上記加熱制御部により上記記憶部に記憶された上記工場出荷時の加熱設定条件に基づく加熱調理が繰り返し連続して行われた回数をカウントするカウンタと、
上記カウンタによりカウントされた回数が予め設定された回数以上になったとき、上記記憶部に記憶された上記工場出荷時の加熱設定条件とは異なる他の加熱設定条件での加熱調理を勧める提案をユーザーに報知する報知部と
を備えたことを特徴とする。
【０００８】
また、一実施形態の加熱調理器では、
上記記憶部に記憶された上記複数の加熱設定条件は、上記被加熱物に対する炊き方の条件である。
【０００９】
また、一実施形態の加熱調理器では、
上記加熱制御部による上記被加熱物の加熱調理をユーザーの操作により開始するための操作部を有し、
上記報知部は、上記カウンタによりカウントされた回数が予め設定された回数以上になり、かつ、上記加熱調理を開始するためにユーザーが上記被加熱物の加熱調理を開始するために上記操作部を操作したとき、上記工場出荷時の加熱設定条件とは異なる加熱設定条件での加熱調理を勧める提案をユーザーに報知する。
【００１０】
また、一実施形態の加熱調理器では、
上記加熱部により上記被加熱物の加熱するための容器または加熱室と、
上記容器または上記加熱室を開閉する蓋体または扉と、
上記蓋体または上記扉の開閉を検出する開閉検出部と
を備え、
上記報知部は、上記カウンタによりカウントされた回数が予め設定された回数以上になり、かつ、上記開閉検出部が上記蓋体または上記扉が閉状態から開状態になったことを検出したとき、上記工場出荷時の加熱設定条件とは異なる加熱設定条件での加熱調理を勧める提案をユーザーに報知する。
【発明の効果】
【００１１】
以上より明らかなように、この発明によれば、工場出荷時の加熱設定条件で加熱調理を続けることがないように、ユーザーに他の加熱設定条件での加熱調理もあることを報知することによって、調理器が備える各機能の有効活用が図れると共に、ユーザーの利便性を向上できる加熱調理器を実現することができる。
【図面の簡単な説明】
【００１２】
【図１】図１はこの発明の実施の一形態の加熱調理器の一例としての炊飯器の斜視図である。
【図２】図２は上記炊飯器の蓋体を開いた状態の斜視図である。
【図３】図３は上記炊飯器の蓋体の上面図である。
【図４】図４は図３に示す蓋体の要部の拡大図である。
【図５】図５は上記炊飯器の制御ブロック図である。
【図６】図６は上記炊飯器の液晶表示部の表示画面を示す図である。
【図７】図７は上記炊飯器の工場出荷時の加熱設定条件における液晶表示部の表示画面を示す図である。
【発明を実施するための形態】
【００１３】
以下、この発明の加熱調理器を図示の実施の形態により詳細に説明する。
【００１４】
図１はこの発明の実施の一形態の加熱調理器の一例としての炊飯器の斜視図を示している。
【００１５】
この実施の形態の炊飯器は、図１に示すように、炊飯器本体１と、炊飯器本体１の上部に開閉自在に取り付けられた蓋体２とを備えている。炊飯器本体１は、前面側に設けられた表示操作部５と、前面側かつ上側に設けられたフックボタン６と、後面側かつ下側に接続された電源コード７とを有する。また、蓋体２の後面側に蒸気口２aを設けている。表示操作部５は、液晶表示部３と操作部の一例としての操作ボタン群４で構成され、この表示操作部５により調理メニューや調理状況などの表示とボタン操作が可能である。
【００１６】
また、図２は上記炊飯器の蓋体２を開いた状態の斜視図を示している。
【００１７】
上記炊飯器は、図２に示すように、炊飯器本体１内に収納された容器の一例としての内鍋１０を備え、この内鍋１０を覆うように蓋体２が閉じられる。
【００１８】
上記内鍋１０は、例えばアルミニウムなどの高熱伝導部材で形成され、その外面に加熱効率を向上させる例えばステンレス等の磁性体を貼り付ける一方、内面に被加熱物の付着を防ぐためのフッ素樹脂をコーティングしている。
【００１９】
また、上記蓋体２は、炊飯器本体１に回動自在に支持された外蓋２１と、その外蓋２１の内鍋１０側に着脱自在に取り付けられた内蓋２２とを備えている。この内蓋２２の外周に環状の耐熱ゴム製のパッキン２３を着脱自在に取り付けている。蓋体２が閉じられたときにパッキン２３が内鍋１０に密着して、内鍋１０と内蓋２２との間をシールする。また、内蓋２２には、蒸気排出口(図示せず)が設けられている。
【００２０】
また、炊飯器本体１の上面の前部には被係止部８を設けている。この被係止部８には、蓋体２の下面の前部に設けられた係止部２５が解除可能に係止する。また、炊飯器本体１内には、蓋体２をロックするロック機構９を設けている。このロック機構９が蓋体２をロックしていないときには、フックボタン６を押すと、被係止部８が後方に移動して、被係止部８に対する係止部２５の係止は解除される。一方、ロック機構９が蓋体２をロックしているときは、フックボタン６を押しても、被係止部８が後方に移動せず、被係止部８に対する係止部２５の係止は解除されない。
【００２１】
また、外蓋２１内の右側後部に駆動モータ２４を配置すると共に、外蓋２１の中央部内に連結部(図示せず)を配置している。この連結部２０は、駆動モータ２４が発生した回転駆動力を、プーリ(図示せず)やベルト(図示せず)を介して受けて回転する。
【００２２】
また、上記内蓋２２の内鍋１０側に、耐熱樹脂製の攪拌ユニット１１を回転自在に取り付けている。この攪拌ユニット１１は、ひょうたんを扁平にした形状の回転体１２と、その回転体１２の両側に配置された第１,第２の攪拌アーム１３Ａ,１３Ｂを有している。この第１,第２の攪拌アーム１３Ａ,１３Ｂの一端を上下方向に回動自在に回転体１２の両端に夫々取り付けている。また、攪拌ユニット１１の回転体１２内には、第１,第２の攪拌アーム１３Ａ,１３Ｂを回動させるための駆動機構(図３に示す)が設けられている。
【００２３】
上記攪拌ユニット１１と連結部２０と駆動モータ２４で攪拌部を構成している。
【００２４】
また、図３は上記炊飯器の蓋体２の上面図を示し、図４は図３に示す蓋体２の要部の拡大図を示している。
【００２５】
図３,図４において、蓋体２に設けられた液晶表示部３の近傍に、図１に示す操作ボタン群４として、炊飯スタートボタン４１、洗米ボタン４２、予約ボタン４３、保温／取消ボタン４４、炊飯選択ボタン４５、お料理選択ボタン４６、もどるボタン４７(「＜」)、すすむボタン４８(「＞」)、聞いてボタン４９を配置している。
【００２６】
上記の聞いてボタン４９は、炊飯終了時や保温切りの操作後またはお料理メニューの調理が終了した後に蓋体２を開閉したとき、メニュー提案、健康サポート、使いこなしサポートについて音声出力の用意があるときに点滅するので、ユーザーは必要なら、聞いてボタン４９を操作することにより、メニュー提案、健康サポート、使いこなしサポートについて聞くことができる。
【００２７】
図５は上記炊飯器の制御ブロック図を示しており、この炊飯器は、図５に示すように、マイクロコンピュータおよび入出力回路などからなる制御装置１００を備えている。この制御装置１００は、内鍋温度センサ５２,室内温度センサ５３からの信号が入力されると共に、表示操作部５と、ロック機構９と、駆動モータ２４と、加熱部の一例としてのヒータ５１を駆動するための加熱回路５０と、報知部の一例としての音声出力部５４とが接続されている。
【００２８】
上記制御装置１００は、内鍋温度センサ５２により検出された内鍋１０の温度および室内温度センサ５３により検出された室内温度に基づいてヒータ５１を制御する加熱制御部１００aと、攪拌部(攪拌ユニット１１,連結部２０,駆動モータ２４)の回転動作を制御する攪拌制御部１００bと、複数の加熱設定条件などを記憶する記憶部１００cと、複数の加熱設定条件のうちのいずれか１つを選択するための加熱条件選択部１００dと、カウンタ１００eと、カレンダ機能付きの時計部１００fとを有する。
【００２９】
上記記憶部１００cには、次の図６で説明する炊飯コース(お米の種類と炊き方と食感を含む)およびお料理コースの複数のメニューに対応する加熱設定条件が記憶されている。
【００３０】
図６は上記炊飯器の液晶表示部３の表示画面を示している。図６では、液晶表示部３が表示可能な文字および図を全て図示している。
【００３１】
上記液晶表示部３は、お米の種類表示部１０１、炊き方表示部１０２、お料理コース表示部１０３、マイメニュー表示部１０４、食感表示部１０５、時間表示部１０６、内部状態表示部１０７を有している。
【００３２】
このお米の種類表示部１０１は、「白米」、「無洗米」、「玄米」、「発芽玄米」および「分づき米」のうちの一つを表示する。
【００３３】
また、炊き方表示部１０２は、「ごはん」、「極上」、「おいそぎ」、「炊込み」、「極美がゆ」、「おかゆ」、「新米」、「すしめし」、「エコ炊飯」および「胚芽」のうちの一つを表示する。
【００３４】
また、お料理コース表示部１０３は、「煮物」、「シチュー」、「蒸し物」および「お菓子」のうちの一つを表示する。
【００３５】
また、食感表示部１０５は、「しゃっきり」、「ふつう」および「もっちり」のうちの一つを必要に応じて表示する。
【００３６】
上記お米の種類表示部１０１と炊き方表示部１０２と食感表示部１０５で炊飯コースを表示する。
【００３７】
上記お米の種類表示部１０１、炊き方表示部１０２、お料理コース表示部１０３、マイメニュー表示部１０４、食感表示部１０５の表示は、操作ボタン群４(図１に示す)の操作に応じて変化する。
【００３８】
また、時間表示部１０６の表示は、時計部１００fの計時または調理工程の経過に伴って変化する。さらに、内部状態表示部１０７の表示は、回転体１２および第１,第２の攪拌アーム１３Ａ,１３Ｂの状態に応じて変化する。
【００３９】
図７に炊飯器の工場出荷時の加熱設定条件における液晶表示部３の表示画面を示している。図７では、お米の種類表示部１０１の「白米」が表示され、炊き方表示部１０２の「エコ炊飯」が表示されると共に、時間表示部１０６に現在時刻が表示されている。
【００４０】
ここで、「エコ炊飯」とは、攪拌ユニット１１の回転による攪拌動作をせず、消費電力を抑えた加熱設定条件で加熱シーケンスを実行する炊飯である。
【００４１】
上記構成の炊飯器において、工場出荷時の状態(記憶部１００cに記憶された複数の加熱設定条件のいずれかをユーザーが一度も選択していない場合)のままで、ユーザーが表示操作部５のスタートボタンを押すと、記憶部１００cに記憶された工場出荷時の加熱設定条件(炊飯コースが「白米」で炊き方が「エコ炊飯」)で米と水の混合物を加熱して炊飯調理することになる。
【００４２】
そうして、上記記憶部１００cに記憶された工場出荷時の加熱設定条件に基づく加熱調理が加熱制御部１００aにより繰り返し連続して行われた回数をカウンタ１００eによりカウントする。
【００４３】
上記カウンタ１００eによりカウントされた回数が予め設定された回数以上になったとき、音声出力部５４(報知部)によって、記憶部１００cに記憶された工場出荷時の加熱設定条件とは異なる他の加熱設定条件での加熱調理を勧める提案をユーザーに報知する。
【００４４】
例えば、この実施の形態の炊飯器では、工場出荷時の加熱設定条件が「白米」の「エコ炊飯」であるが、異なる他の加熱設定条件として、おいしく炊き上げたいときの「ごはん」、じっくり時間をかけておいしく炊くときの「極上」などの回転ユニット１１を用いた炊き方コースを提案する。このとき、音声出力部５４から「かいてんユニットのコースをお試しくださいね。」の音声を出力する。
【００４５】
これにより、ユーザーは、他の加熱設定条件での加熱調理もあることを認知して、工場出荷時の加熱設定条件のままで繰り返し連続して行っていた加熱調理を改めることが可能になる。
【００４６】
なお、工場出荷時の加熱設定条件から米の種類や炊き方,食感のいずれかを一旦変更すれば、工場出荷時の加熱設定条件に基づく加熱調理カウンタ１００eによるカウント処理は行われなくなる。
【００４７】
このように、工場出荷時の加熱設定条件で加熱調理を続けることがないように、ユーザーに他の加熱設定条件での加熱調理もあることを報知することによって、ユーザーは操作ボタン群４(図１に示す)を操作して、上述の提案された炊き方コースを選択したり他の炊き方コースを選択したりすることが可能になる。
【００４８】
したがって、上記炊飯器によれば、炊飯器が備える各機能の有効活用が図れると共に、ユーザーの利便性を向上できる。
【００４９】
また、上記記憶部１００cに記憶された複数の加熱設定条件が、被加熱物に対する炊き方の条件であるので、異なる炊き方を提案することが可能になり、加熱設定条件を工夫した様々なメニューの加熱調理に対応できる。
【００５０】
また、上記カウンタ１００eによりカウントされた回数が予め設定された回数以上になり、かつ、加熱調理を開始するためにユーザーが被加熱物の加熱調理を開始するために操作ボタン群４(操作部)を操作したとき、音声出力部５４(報知部)は、工場出荷時の加熱設定条件とは異なる加熱設定条件での加熱調理を勧める提案をユーザーに報知する。すなわち、加熱調理の開始時にスタートボタン４１を操作したとき、加熱調理を開始せずにまず上記提案を行った後、そのまま加熱調理を開始するか、または、提案された加熱設定条件で加熱調理を行うかを選択する機会が得られ、利便性がより向上する。
【００５１】
また、上記蓋体２の開閉を検出する開閉検出部の一例としての開閉センサ５５(図５に示す)を設けて、カウンタ１００eによりカウントされた回数が予め設定された回数以上になり、かつ、蓋体２が閉状態から開状態になったことを開閉センサ５５(開閉検出部)が検出したとき、音声出力部５４(報知部)は、工場出荷時の加熱設定条件とは異なる加熱設定条件での加熱調理を勧める提案をユーザーに報知するようにしてもよい。この場合、加熱調理をするために蓋体２を開いたとき、ユーザーが上記提案を受けて、そのまま加熱調理を開始するか、または、提案された加熱設定条件で加熱調理を行うかを選択する機会が得られ、利便性がより向上する。
【００５２】
なお、炊飯器の蓋体２の開閉を検出する開閉検出部としての開閉センサ５５を設けたが、加熱部により被加熱物の加熱するための加熱室を備えた加熱調理器では、開閉検出部は、加熱室を開閉する扉の開閉を検出する。
【００５３】
以下、この発明の第２の実施形態の加熱調理器を以下に説明する。
＜旬の食材によるメニュー提案＞
炊飯運転を行っていない状態において、聞いてボタン４９(図３,図４に示す)を押したとき、時計部１００fのカレンダ機能を用いて、該当する期間(季節)に合った複数のメニューからランダムに選択したものを音声出力部５４により音声出力して、ユーザーに提案する。
【００５４】
例えば、一例として、次のようなものがある。
[  ３月１日〜  ４月３１日]    『新たまねぎがおいしい季節ですね。次は肉じゃがを作ってみませんか。』
[  ４月１日〜  ５月３１日]    『山菜がおいしい季節ですね。次は山菜おこわを作ってみませんか。』
[１０月１日〜１１月３０日]    『さつまいもがおいしい季節ですね。次はさつまいもご飯を作ってみませんか。』
【００５５】
以下、この発明の第３の実施形態の加熱調理器を以下に説明する。
＜祭事のおすすめメニュー提案＞
炊飯運転を行っていない状態において、聞いてボタン４９(図３,図４に示す)を押したとき、時計部１００fのカレンダ機能を用いて、祭事の条件に合致したものを複数のメニューからランダムに選択したものを音声出力部５４により音声出力して、ユーザーに提案する。
【００５６】
例えば、一例として、次のようなものがある。
[  １月７  日]    『きょうは１月７日。胃に優しい七草粥を作ってみませんか。』
[１２月１７日〜１２月２３日]    『もうすぐクリスマス。いちごを飾ったスポンジケーキを作ってみませんか。』
【００５７】
以下、この発明の第４の実施形態の加熱調理器を以下に説明する。
＜時間帯によるおすすめメニュー提案＞
炊飯運転を行っていない状態において、時計部１００fの計時機能を用いて、時間帯の条件に合致したものを複数のメニューからランダムに選択したものを音声出力部５４により音声を出力して、ユーザーに提案する。
【００５８】
例えば、一例として、時刻が午後９時〜午前０時の時間帯に、聞いてボタン４９(図３,図４に示す)を押したとき、または、蓋体２を開けたとき、以下のメッセージを音声出力部５４により音声出力して、ユーザーに提案する。
『夜遅いので、胃に優しいおかゆを作ってみませんか。』
【００５９】
第２〜第４の実施の形態では、日付や時刻に応じて様々なメニューの提案を行ったが、室内温度センサ５３により検出された室内温度や湿度センサにより検出された室内の湿度に応じて、適切なメニューの提案を行ってもよい。また、加熱調理の履歴に基づいて、調理の頻度が少ないメニューかまたは全く行っていないメニューの提案を行ってもよいし、調理回数の多いメニューとは異なるカテゴリのメニューの提案を行ってもよく、日付や時刻の条件と組み合わせて提案するメニューを決定してもよい。
【００６０】
また、＜使いこなしサポート＞の一例として、次のようなものがある。
【００６１】
炊飯運転を行っていない状態において、食感を「ふつう」、「しゃっきり」にしていて蓋体２を開いたとき、以下のメッセージを音声出力部５４により音声出力して、ユーザーに提案する。
『食感調整でもっちり食感も試してみてね。冷めてもおいしいお弁当用ご飯にも合いますよ。』
【００６２】
炊飯運転を行っていない状態において、食感を「ふつう」、「もっちり」にしていて蓋体２を開いたとき、以下のメッセージを音声出力部５４により音声出力して、ユーザーに提案する。
『食感調整でしゃきり食感も試してみてね。カレーや丼物にも合いますよ。』
【００６３】
上記実施の形態では、加熱調理器としての炊飯器について説明したが、加熱調理器はこれに限らず、攪拌機能を有しない炊飯器などの他の構成の加熱調理器にこの発明を適用してもよい。
【００６４】
また、上記実施の形態では、報知部としての音声出力部５４を備えた炊飯器について説明したが、報知部はこれに限らず、表示部を用いて、記憶部に記憶された工場出荷時の加熱設定条件とは異なる他の加熱設定条件での加熱調理を勧める提案をユーザーに報知するようにしてもよい。
【００６５】
この発明の具体的な実施の形態について説明したが、この発明は上記実施の形態に限定されるものではなく、この発明の範囲内で種々変更して実施することができる。
【００６６】
この発明の加熱調理器は、
被加熱物を加熱する加熱部５１と、
上記加熱部５１により上記被加熱物を加熱して調理を行うときの加熱設定条件が複数記憶され、上記複数の加熱設定条件のうちの１つが工場出荷時の加熱設定条件として設定された記憶部１００cと、
上記記憶部１００cに記憶された上記複数の加熱設定条件のいずれかに基づいて上記被加熱物の加熱を行うように、上記加熱部５１を制御する加熱制御部１００aと、
上記加熱制御部１００aにより上記記憶部１００cに記憶された上記工場出荷時の加熱設定条件に基づく加熱調理が繰り返し連続して行われた回数をカウントするカウンタ１００eと、
上記カウンタ１００eによりカウントされた回数が予め設定された回数以上になったとき、上記記憶部１００cに記憶された上記工場出荷時の加熱設定条件とは異なる他の加熱設定条件での加熱調理を勧める提案をユーザーに報知する報知部５４と
を備えたことを特徴とする。
【００６７】
上記報知部５４は、液晶表示装置などを用いた表示部であってもよいし、音声を出力する音声出力部であってもよい。
【００６８】
上記構成によれば、記憶部１００cに記憶された工場出荷時の加熱設定条件に基づく加熱調理が加熱制御部１００aにより繰り返し連続して行われた回数をカウンタ１００eによりカウントし、そのカウンタ１００eによりカウントされた回数が予め設定された回数以上になったとき、報知部５４によって、記憶部１００cに記憶された工場出荷時の加熱設定条件とは異なる他の加熱設定条件での加熱調理を勧める提案をユーザーに報知する。これにより、ユーザーは、他の加熱設定条件での加熱調理もあることを認知して、工場出荷時の加熱設定条件のままで繰り返し連続して行っていた加熱調理を改めることが可能になる。
【００６９】
このように、工場出荷時の加熱設定条件で加熱調理を続けることがないように、ユーザーに他の加熱設定条件での加熱調理もあることを報知することによって、調理器が備える各機能の有効活用が図れると共に、ユーザーの利便性を向上できる。
【００７０】
また、一実施形態の加熱調理器では、
上記記憶部１００cに記憶された上記複数の加熱設定条件は、上記被加熱物に対する炊き方の条件である。
【００７１】
上記実施形態によれば、記憶部１００cに記憶された複数の加熱設定条件を、被加熱物に対する炊き方の条件とすることで、異なる炊き方を提案することが可能になり、加熱設定条件を工夫した様々なメニューの加熱調理に対応できる。
【００７２】
また、一実施形態の加熱調理器では、
上記加熱制御部１００aによる上記被加熱物の加熱調理をユーザーの操作により開始するための操作部４を有し、
上記報知部５４は、上記カウンタ１００eによりカウントされた回数が予め設定された回数以上になり、かつ、上記加熱調理を開始するためにユーザーが上記被加熱物の加熱調理を開始するために上記操作部４を操作したとき、上記工場出荷時の加熱設定条件とは異なる加熱設定条件での加熱調理を勧める提案をユーザーに報知する。
【００７３】
上記実施形態によれば、カウンタ１００eによりカウントされた回数が予め設定された回数以上になり、かつ、加熱調理を開始するためにユーザーが被加熱物の加熱調理を開始するために操作部４を操作したとき、報知部５４は、工場出荷時の加熱設定条件とは異なる加熱設定条件での加熱調理を勧める提案をユーザーに報知するので、例えば加熱調理の開始時にスタートボタンを操作したとき、加熱調理を開始せずにまず上記提案を行った後、そのまま加熱調理を開始するか、または、提案された加熱設定条件で加熱調理を行うかを選択する機会が得られ、利便性がより向上する。
【００７４】
また、一実施形態の加熱調理器では、
上記加熱部５１により上記被加熱物の加熱するための容器または加熱室と、
上記容器または上記加熱室を開閉する蓋体２または扉と、
上記蓋体２または上記扉の開閉を検出する開閉検出部５５と
を備え、
上記報知部５４は、上記カウンタ１００eによりカウントされた回数が予め設定された回数以上になり、かつ、上記開閉検出部５５が上記蓋体２または上記扉が閉状態から開状態になったことを検出したとき、上記工場出荷時の加熱設定条件とは異なる加熱設定条件での加熱調理を勧める提案をユーザーに報知する。
【００７５】
上記実施形態によれば、カウンタ１００eによりカウントされた回数が予め設定された回数以上になり、かつ、蓋体２(または扉)が閉状態から開状態になったことを開閉検出部５５が検出したとき、報知部５４は、工場出荷時の加熱設定条件とは異なる加熱設定条件での加熱調理を勧める提案をユーザーに報知するので、例えば加熱調理をするために蓋体２(または扉)を開いたとき、ユーザーが上記提案を受けて、そのまま加熱調理を開始するか、または、提案された加熱設定条件で加熱調理を行うかを選択する機会が得られ、利便性がより向上する。
【符号の説明】
【００７６】
１…炊飯器本体
２…蓋体
３…液晶表示部
４…操作ボタン群
５…表示操作部
６…フックボタン
７…電源コード
８…被係止部
９…ロック機構
１０…内鍋
１１…攪拌ユニット
１２…回転体
１３Ａ,１３Ｂ…第１,第２の攪拌アーム
１５…軸部
２０…連結部
２１…外蓋
２２…内蓋
２３…パッキン
２４…駆動モータ
２５…係止部
４１…炊飯スタートボタン
４２…洗米ボタン
４３…予約ボタン
４４…保温／取消ボタン
４５…炊飯選択ボタン
４６…お料理選択ボタン
４７…もどるボタン
４８…すすむボタン
４９…聞いてボタン
５０…加熱回路
５１…ヒータ
５２…内鍋温度センサ
５３…室内温度センサ
５４…音声出力部
５５…開閉センサ
１００…制御装置
１００a…加熱制御部
１００b…攪拌制御部
１００c…記憶部
１００d…加熱設定条件選択部
１００e…カウンタ
１００f…時計部
１０１…お米の種類表示部
１０２…炊き方表示部
１０３…お料理コース表示部
１０４…マイメニュー表示部
１０５…食感表示部
１０６…時間表示部
１０７…内部状態表示部
【図１】
2015058207.tif 000003
【図２】
2015058207.tif 000004
【図３】
2015058207.tif 000005
【図４】
2015058207.tif 000006
【図５】
2015058207.tif 000007
【図６】
2015058207.tif 000008
【図７】
2015058207.tif 000009
【手続補正書】
【提出日】平成26年12月4日(2014.12.4)
【手続補正１】
【補正対象書類名】特許請求の範囲
【補正対象項目名】全文
【補正方法】変更
【補正の内容】
【特許請求の範囲】
【請求項１】
被加熱物を加熱する加熱部と、
上記加熱部により上記被加熱物を加熱して調理を行うときの加熱設定条件が複数記憶され、上記複数の加熱設定条件のうちの１つが工場出荷時の加熱設定条件として設定された記憶部と、
上記記憶部に記憶された上記複数の加熱設定条件のいずれかに基づいて上記被加熱物の加熱を行うように、上記加熱部を制御する加熱制御部と、
上記加熱制御部により上記記憶部に記憶された上記工場出荷時の加熱設定条件に基づく加熱調理が繰り返し連続して行われた回数をカウントするカウンタと、
上記カウンタによりカウントされた回数が予め設定された回数以上になったとき、上記記憶部に記憶された上記工場出荷時の加熱設定条件とは異なる他の加熱設定条件での加熱調理を勧める提案をユーザーに報知する報知部と、
上記加熱制御部による上記被加熱物の加熱調理をユーザーの操作により開始するための操作部と
を備え、
上記報知部は、上記カウンタによりカウントされた回数が予め設定された回数以上になり、かつ、上記操作部を操作したとき、上記工場出荷時の加熱設定条件とは異なる加熱設定条件での加熱調理を勧める提案をユーザーに報知することを特徴とする加熱調理器。
【請求項２】
請求項１に記載の加熱調理器において、
上記記憶部に記憶された上記複数の加熱設定条件は、上記被加熱物に対する炊き方の条件であることを特徴とする加熱調理器。
【請求項３】
請求項１または２に記載の加熱調理器において、
上記報知部は、上記カウンタによりカウントされた回数が上記予め設定された回数以上になり、かつ、上記加熱調理を開始するためにユーザーが上記被加熱物の加熱調理を開始するために上記操作部を操作したとき、上記工場出荷時の加熱設定条件とは異なる加熱設定条件での加熱調理を勧める提案をユーザーに報知することを特徴とする加熱調理器。
【請求項４】
請求項１から３までのいずれか1つに記載の加熱調理器において、
上記加熱部により上記被加熱物の加熱するための容器または加熱室と、
上記容器または上記加熱室を開閉する蓋体または扉と、
上記蓋体または上記扉の開閉を検出する開閉検出部と
を備え、
上記報知部は、上記カウンタによりカウントされた回数が予め設定された回数以上になり、かつ、上記開閉検出部が上記蓋体または上記扉が閉状態から開状態になったことを検出したとき、上記工場出荷時の加熱設定条件とは異なる加熱設定条件での加熱調理を勧める提案をユーザーに報知することを特徴とする加熱調理器。
【手続補正２】
【補正対象書類名】明細書
【補正対象項目名】全文
【補正方法】変更
【補正の内容】
【発明の詳細な説明】
【技術分野】
【０００１】
この発明は、加熱調理器に関する。
【背景技術】
【０００２】
従来、加熱調理器としては、機能を設定する操作において、状況に応じた適切な音声報知を行うものがある(例えば、特開２００６−３４５９７０号公報(特許文献１)参照)。
【０００３】
上記加熱調理器では、各機能の設定状況を表示手段に表示し、各機能の設定状況や次に設定操作すべき内容などを音声により報知することにより、快適で確実な設定操作を実現している。
【先行技術文献】
【特許文献】
【０００４】
【特許文献１】特開２００６−３４５９７０号公報
【発明の概要】
【発明が解決しようとする課題】
【０００５】
しかしながら、上記従来の加熱調理器では、音声ガイダンスにより各機能の設定の操作性をサポートするものである。このような加熱調理器では、音声ガスダンスに従って多くの炊飯メニューを選択可能であるにも関わらず、工場出荷時の加熱設定条件のままで使い続けて、それ以外の加熱設定条件のメニューは使用しないような傾向のユーザーは、他に多くの炊飯メニューを使用しないので、調理器が備える各機能を有効に活用していないという問題がある。
【０００６】
そこで、この発明の課題は、工場出荷時の加熱設定条件で加熱調理を続けることがないように、ユーザーに他の加熱設定条件での加熱調理もあることを報知することによって、調理器が備える各機能の有効活用が図れると共に、ユーザーの利便性を向上できる加熱調理器を提供することにある。
【課題を解決するための手段】
【０００７】
上記課題を解決するため、この発明の加熱調理器は、
被加熱物を加熱する加熱部と、
上記加熱部により上記被加熱物を加熱して調理を行うときの加熱設定条件が複数記憶され、上記複数の加熱設定条件のうちの１つが工場出荷時の加熱設定条件として設定された記憶部と、
上記記憶部に記憶された上記複数の加熱設定条件のいずれかに基づいて上記被加熱物の加熱を行うように、上記加熱部を制御する加熱制御部と、
上記加熱制御部により上記記憶部に記憶された上記工場出荷時の加熱設定条件に基づく加熱調理が繰り返し連続して行われた回数をカウントするカウンタと、
上記カウンタによりカウントされた回数が予め設定された回数以上になったとき、上記記憶部に記憶された上記工場出荷時の加熱設定条件とは異なる他の加熱設定条件での加熱調理を勧める提案をユーザーに報知する報知部と、
上記加熱制御部による上記被加熱物の加熱調理をユーザーの操作により開始するための操作部と
を備え、
上記報知部は、上記カウンタによりカウントされた回数が予め設定された回数以上になり、かつ、上記操作部を操作したとき、上記工場出荷時の加熱設定条件とは異なる加熱設定条件での加熱調理を勧める提案をユーザーに報知することを特徴とする。
【０００８】
また、一実施形態の加熱調理器では、
上記記憶部に記憶された上記複数の加熱設定条件は、上記被加熱物に対する炊き方の条件である。
【０００９】
また、一実施形態の加熱調理器では、
上記報知部は、上記カウンタによりカウントされた回数が上記予め設定された回数以上になり、かつ、上記加熱調理を開始するためにユーザーが上記被加熱物の加熱調理を開始するために上記操作部を操作したとき、上記工場出荷時の加熱設定条件とは異なる加熱設定条件での加熱調理を勧める提案をユーザーに報知する。
【００１０】
また、一実施形態の加熱調理器では、
上記加熱部により上記被加熱物の加熱するための容器または加熱室と、
上記容器または上記加熱室を開閉する蓋体または扉と、
上記蓋体または上記扉の開閉を検出する開閉検出部と
を備え、
上記報知部は、上記カウンタによりカウントされた回数が予め設定された回数以上になり、かつ、上記開閉検出部が上記蓋体または上記扉が閉状態から開状態になったことを検出したとき、上記工場出荷時の加熱設定条件とは異なる加熱設定条件での加熱調理を勧める提案をユーザーに報知する。
【発明の効果】
【００１１】
以上より明らかなように、この発明によれば、工場出荷時の加熱設定条件で加熱調理を続けることがないように、ユーザーに他の加熱設定条件での加熱調理もあることを報知することによって、調理器が備える各機能の有効活用が図れると共に、ユーザーの利便性を向上できる加熱調理器を実現することができる。
【図面の簡単な説明】
【００１２】
【図１】図１はこの発明の実施の一形態の加熱調理器の一例としての炊飯器の斜視図である。
【図２】図２は上記炊飯器の蓋体を開いた状態の斜視図である。
【図３】図３は上記炊飯器の蓋体の上面図である。
【図４】図４は図３に示す蓋体の要部の拡大図である。
【図５】図５は上記炊飯器の制御ブロック図である。
【図６】図６は上記炊飯器の液晶表示部の表示画面を示す図である。
【図７】図７は上記炊飯器の工場出荷時の加熱設定条件における液晶表示部の表示画面を示す図である。
【発明を実施するための形態】
【００１３】
以下、この発明の加熱調理器を図示の実施の形態により詳細に説明する。
【００１４】
図１はこの発明の実施の一形態の加熱調理器の一例としての炊飯器の斜視図を示している。
【００１５】
この実施の形態の炊飯器は、図１に示すように、炊飯器本体１と、炊飯器本体１の上部に開閉自在に取り付けられた蓋体２とを備えている。炊飯器本体１は、前面側に設けられた表示操作部５と、前面側かつ上側に設けられたフックボタン６と、後面側かつ下側に接続された電源コード７とを有する。また、蓋体２の後面側に蒸気口２aを設けている。表示操作部５は、液晶表示部３と操作部の一例としての操作ボタン群４で構成され、この表示操作部５により調理メニューや調理状況などの表示とボタン操作が可能である。
【００１６】
また、図２は上記炊飯器の蓋体２を開いた状態の斜視図を示している。
【００１７】
上記炊飯器は、図２に示すように、炊飯器本体１内に収納された容器の一例としての内鍋１０を備え、この内鍋１０を覆うように蓋体２が閉じられる。
【００１８】
上記内鍋１０は、例えばアルミニウムなどの高熱伝導部材で形成され、その外面に加熱効率を向上させる例えばステンレス等の磁性体を貼り付ける一方、内面に被加熱物の付着を防ぐためのフッ素樹脂をコーティングしている。
【００１９】
また、上記蓋体２は、炊飯器本体１に回動自在に支持された外蓋２１と、その外蓋２１の内鍋１０側に着脱自在に取り付けられた内蓋２２とを備えている。この内蓋２２の外周に環状の耐熱ゴム製のパッキン２３を着脱自在に取り付けている。蓋体２が閉じられたときにパッキン２３が内鍋１０に密着して、内鍋１０と内蓋２２との間をシールする。また、内蓋２２には、蒸気排出口(図示せず)が設けられている。
【００２０】
また、炊飯器本体１の上面の前部には被係止部８を設けている。この被係止部８には、蓋体２の下面の前部に設けられた係止部２５が解除可能に係止する。また、炊飯器本体１内には、蓋体２をロックするロック機構９を設けている。このロック機構９が蓋体２をロックしていないときには、フックボタン６を押すと、被係止部８が後方に移動して、被係止部８に対する係止部２５の係止は解除される。一方、ロック機構９が蓋体２をロックしているときは、フックボタン６を押しても、被係止部８が後方に移動せず、被係止部８に対する係止部２５の係止は解除されない。
【００２１】
また、外蓋２１内の右側後部に駆動モータ２４を配置すると共に、外蓋２１の中央部内に連結部(図示せず)を配置している。この連結部２０は、駆動モータ２４が発生した回転駆動力を、プーリ(図示せず)やベルト(図示せず)を介して受けて回転する。
【００２２】
また、上記内蓋２２の内鍋１０側に、耐熱樹脂製の攪拌ユニット１１を回転自在に取り付けている。この攪拌ユニット１１は、ひょうたんを扁平にした形状の回転体１２と、その回転体１２の両側に配置された第１,第２の攪拌アーム１３Ａ,１３Ｂを有している。この第１,第２の攪拌アーム１３Ａ,１３Ｂの一端を上下方向に回動自在に回転体１２の両端に夫々取り付けている。また、攪拌ユニット１１の回転体１２内には、第１,第２の攪拌アーム１３Ａ,１３Ｂを回動させるための駆動機構(図３に示す)が設けられている。
【００２３】
上記攪拌ユニット１１と連結部２０と駆動モータ２４で攪拌部を構成している。
【００２４】
また、図３は上記炊飯器の蓋体２の上面図を示し、図４は図３に示す蓋体２の要部の拡大図を示している。
【００２５】
図３,図４において、蓋体２に設けられた液晶表示部３の近傍に、図１に示す操作ボタン群４として、炊飯スタートボタン４１、洗米ボタン４２、予約ボタン４３、保温／取消ボタン４４、炊飯選択ボタン４５、お料理選択ボタン４６、もどるボタン４７(「＜」)、すすむボタン４８(「＞」)、聞いてボタン４９を配置している。
【００２６】
上記の聞いてボタン４９は、炊飯終了時や保温切りの操作後またはお料理メニューの調理が終了した後に蓋体２を開閉したとき、メニュー提案、健康サポート、使いこなしサポートについて音声出力の用意があるときに点滅するので、ユーザーは必要なら、聞いてボタン４９を操作することにより、メニュー提案、健康サポート、使いこなしサポートについて聞くことができる。
【００２７】
図５は上記炊飯器の制御ブロック図を示しており、この炊飯器は、図５に示すように、マイクロコンピュータおよび入出力回路などからなる制御装置１００を備えている。この制御装置１００は、内鍋温度センサ５２,室内温度センサ５３からの信号が入力されると共に、表示操作部５と、ロック機構９と、駆動モータ２４と、加熱部の一例としてのヒータ５１を駆動するための加熱回路５０と、報知部の一例としての音声出力部５４とが接続されている。
【００２８】
上記制御装置１００は、内鍋温度センサ５２により検出された内鍋１０の温度および室内温度センサ５３により検出された室内温度に基づいてヒータ５１を制御する加熱制御部１００aと、攪拌部(攪拌ユニット１１,連結部２０,駆動モータ２４)の回転動作を制御する攪拌制御部１００bと、複数の加熱設定条件などを記憶する記憶部１００cと、複数の加熱設定条件のうちのいずれか１つを選択するための加熱条件選択部１００dと、カウンタ１００eと、カレンダ機能付きの時計部１００fとを有する。
【００２９】
上記記憶部１００cには、次の図６で説明する炊飯コース(お米の種類と炊き方と食感を含む)およびお料理コースの複数のメニューに対応する加熱設定条件が記憶されている。
【００３０】
図６は上記炊飯器の液晶表示部３の表示画面を示している。図６では、液晶表示部３が表示可能な文字および図を全て図示している。
【００３１】
上記液晶表示部３は、お米の種類表示部１０１、炊き方表示部１０２、お料理コース表示部１０３、マイメニュー表示部１０４、食感表示部１０５、時間表示部１０６、内部状態表示部１０７を有している。
【００３２】
このお米の種類表示部１０１は、「白米」、「無洗米」、「玄米」、「発芽玄米」および「分づき米」のうちの一つを表示する。
【００３３】
また、炊き方表示部１０２は、「ごはん」、「極上」、「おいそぎ」、「炊込み」、「極美がゆ」、「おかゆ」、「新米」、「すしめし」、「エコ炊飯」および「胚芽」のうちの一つを表示する。
【００３４】
また、お料理コース表示部１０３は、「煮物」、「シチュー」、「蒸し物」および「お菓子」のうちの一つを表示する。
【００３５】
また、食感表示部１０５は、「しゃっきり」、「ふつう」および「もっちり」のうちの一つを必要に応じて表示する。
【００３６】
上記お米の種類表示部１０１と炊き方表示部１０２と食感表示部１０５で炊飯コースを表示する。
【００３７】
上記お米の種類表示部１０１、炊き方表示部１０２、お料理コース表示部１０３、マイメニュー表示部１０４、食感表示部１０５の表示は、操作ボタン群４(図１に示す)の操作に応じて変化する。
【００３８】
また、時間表示部１０６の表示は、時計部１００fの計時または調理工程の経過に伴って変化する。さらに、内部状態表示部１０７の表示は、回転体１２および第１,第２の攪拌アーム１３Ａ,１３Ｂの状態に応じて変化する。
【００３９】
図７に炊飯器の工場出荷時の加熱設定条件における液晶表示部３の表示画面を示している。図７では、お米の種類表示部１０１の「白米」が表示され、炊き方表示部１０２の「エコ炊飯」が表示されると共に、時間表示部１０６に現在時刻が表示されている。
【００４０】
ここで、「エコ炊飯」とは、攪拌ユニット１１の回転による攪拌動作をせず、消費電力を抑えた加熱設定条件で加熱シーケンスを実行する炊飯である。
【００４１】
上記構成の炊飯器において、工場出荷時の状態(記憶部１００cに記憶された複数の加熱設定条件のいずれかをユーザーが一度も選択していない場合)のままで、ユーザーが表示操作部５のスタートボタンを押すと、記憶部１００cに記憶された工場出荷時の加熱設定条件(炊飯コースが「白米」で炊き方が「エコ炊飯」)で米と水の混合物を加熱して炊飯調理することになる。
【００４２】
そうして、上記記憶部１００cに記憶された工場出荷時の加熱設定条件に基づく加熱調理が加熱制御部１００aにより繰り返し連続して行われた回数をカウンタ１００eによりカウントする。
【００４３】
上記カウンタ１００eによりカウントされた回数が予め設定された回数以上になったとき、音声出力部５４(報知部)によって、記憶部１００cに記憶された工場出荷時の加熱設定条件とは異なる他の加熱設定条件での加熱調理を勧める提案をユーザーに報知する。
【００４４】
例えば、この実施の形態の炊飯器では、工場出荷時の加熱設定条件が「白米」の「エコ炊飯」であるが、異なる他の加熱設定条件として、おいしく炊き上げたいときの「ごはん」、じっくり時間をかけておいしく炊くときの「極上」などの回転ユニット１１を用いた炊き方コースを提案する。このとき、音声出力部５４から「かいてんユニットのコースをお試しくださいね。」の音声を出力する。
【００４５】
これにより、ユーザーは、他の加熱設定条件での加熱調理もあることを認知して、工場出荷時の加熱設定条件のままで繰り返し連続して行っていた加熱調理を改めることが可能になる。
【００４６】
なお、工場出荷時の加熱設定条件から米の種類や炊き方,食感のいずれかを一旦変更すれば、工場出荷時の加熱設定条件に基づく加熱調理カウンタ１００eによるカウント処理は行われなくなる。
【００４７】
このように、工場出荷時の加熱設定条件で加熱調理を続けることがないように、ユーザーに他の加熱設定条件での加熱調理もあることを報知することによって、ユーザーは操作ボタン群４(図１に示す)を操作して、上述の提案された炊き方コースを選択したり他の炊き方コースを選択したりすることが可能になる。
【００４８】
したがって、上記炊飯器によれば、炊飯器が備える各機能の有効活用が図れると共に、ユーザーの利便性を向上できる。
【００４９】
また、上記記憶部１００cに記憶された複数の加熱設定条件が、被加熱物に対する炊き方の条件であるので、異なる炊き方を提案することが可能になり、加熱設定条件を工夫した様々なメニューの加熱調理に対応できる。
【００５０】
また、上記カウンタ１００eによりカウントされた回数が予め設定された回数以上になり、かつ、加熱調理を開始するためにユーザーが被加熱物の加熱調理を開始するために操作ボタン群４(操作部)を操作したとき、音声出力部５４(報知部)は、工場出荷時の加熱設定条件とは異なる加熱設定条件での加熱調理を勧める提案をユーザーに報知する。すなわち、加熱調理の開始時にスタートボタン４１を操作したとき、加熱調理を開始せずにまず上記提案を行った後、そのまま加熱調理を開始するか、または、提案された加熱設定条件で加熱調理を行うかを選択する機会が得られ、利便性がより向上する。
【００５１】
また、上記蓋体２の開閉を検出する開閉検出部の一例としての開閉センサ５５(図５に示す)を設けて、カウンタ１００eによりカウントされた回数が予め設定された回数以上になり、かつ、蓋体２が閉状態から開状態になったことを開閉センサ５５(開閉検出部)が検出したとき、音声出力部５４(報知部)は、工場出荷時の加熱設定条件とは異なる加熱設定条件での加熱調理を勧める提案をユーザーに報知するようにしてもよい。この場合、加熱調理をするために蓋体２を開いたとき、ユーザーが上記提案を受けて、そのまま加熱調理を開始するか、または、提案された加熱設定条件で加熱調理を行うかを選択する機会が得られ、利便性がより向上する。
【００５２】
なお、炊飯器の蓋体２の開閉を検出する開閉検出部としての開閉センサ５５を設けたが、加熱部により被加熱物の加熱するための加熱室を備えた加熱調理器では、開閉検出部は、加熱室を開閉する扉の開閉を検出する。
【００５３】
以下、この発明の第２の実施形態の加熱調理器を以下に説明する。
＜旬の食材によるメニュー提案＞
炊飯運転を行っていない状態において、聞いてボタン４９(図３,図４に示す)を押したとき、時計部１００fのカレンダ機能を用いて、該当する期間(季節)に合った複数のメニューからランダムに選択したものを音声出力部５４により音声出力して、ユーザーに提案する。
【００５４】
例えば、一例として、次のようなものがある。
[  ３月１日〜  ４月３１日]    『新たまねぎがおいしい季節ですね。次は肉じゃがを作ってみませんか。』
[  ４月１日〜  ５月３１日]    『山菜がおいしい季節ですね。次は山菜おこわを作ってみませんか。』
[１０月１日〜１１月３０日]    『さつまいもがおいしい季節ですね。次はさつまいもご飯を作ってみませんか。』
【００５５】
以下、この発明の第３の実施形態の加熱調理器を以下に説明する。
＜祭事のおすすめメニュー提案＞
炊飯運転を行っていない状態において、聞いてボタン４９(図３,図４に示す)を押したとき、時計部１００fのカレンダ機能を用いて、祭事の条件に合致したものを複数のメニューからランダムに選択したものを音声出力部５４により音声出力して、ユーザーに提案する。
【００５６】
例えば、一例として、次のようなものがある。
[  １月７  日]    『きょうは１月７日。胃に優しい七草粥を作ってみませんか。』
[１２月１７日〜１２月２３日]    『もうすぐクリスマス。いちごを飾ったスポンジケーキを作ってみませんか。』
【００５７】
以下、この発明の第４の実施形態の加熱調理器を以下に説明する。
＜時間帯によるおすすめメニュー提案＞
炊飯運転を行っていない状態において、時計部１００fの計時機能を用いて、時間帯の条件に合致したものを複数のメニューからランダムに選択したものを音声出力部５４により音声を出力して、ユーザーに提案する。
【００５８】
例えば、一例として、時刻が午後９時〜午前０時の時間帯に、聞いてボタン４９(図３,図４に示す)を押したとき、または、蓋体２を開けたとき、以下のメッセージを音声出力部５４により音声出力して、ユーザーに提案する。
『夜遅いので、胃に優しいおかゆを作ってみませんか。』
【００５９】
第２〜第４の実施の形態では、日付や時刻に応じて様々なメニューの提案を行ったが、室内温度センサ５３により検出された室内温度や湿度センサにより検出された室内の湿度に応じて、適切なメニューの提案を行ってもよい。また、加熱調理の履歴に基づいて、調理の頻度が少ないメニューかまたは全く行っていないメニューの提案を行ってもよいし、調理回数の多いメニューとは異なるカテゴリのメニューの提案を行ってもよく、日付や時刻の条件と組み合わせて提案するメニューを決定してもよい。
【００６０】
また、＜使いこなしサポート＞の一例として、次のようなものがある。
【００６１】
炊飯運転を行っていない状態において、食感を「ふつう」、「しゃっきり」にしていて蓋体２を開いたとき、以下のメッセージを音声出力部５４により音声出力して、ユーザーに提案する。
『食感調整でもっちり食感も試してみてね。冷めてもおいしいお弁当用ご飯にも合いますよ。』
【００６２】
炊飯運転を行っていない状態において、食感を「ふつう」、「もっちり」にしていて蓋体２を開いたとき、以下のメッセージを音声出力部５４により音声出力して、ユーザーに提案する。
『食感調整でしゃきり食感も試してみてね。カレーや丼物にも合いますよ。』
【００６３】
上記実施の形態では、加熱調理器としての炊飯器について説明したが、加熱調理器はこれに限らず、攪拌機能を有しない炊飯器などの他の構成の加熱調理器にこの発明を適用してもよい。
【００６４】
また、上記実施の形態では、報知部としての音声出力部５４を備えた炊飯器について説明したが、報知部はこれに限らず、表示部を用いて、記憶部に記憶された工場出荷時の加熱設定条件とは異なる他の加熱設定条件での加熱調理を勧める提案をユーザーに報知するようにしてもよい。
【００６５】
この発明の具体的な実施の形態について説明したが、この発明は上記実施の形態に限定されるものではなく、この発明の範囲内で種々変更して実施することができる。
【００６６】
この発明の加熱調理器は、
被加熱物を加熱する加熱部５１と、
上記加熱部５１により上記被加熱物を加熱して調理を行うときの加熱設定条件が複数記憶され、上記複数の加熱設定条件のうちの１つが工場出荷時の加熱設定条件として設定された記憶部１００cと、
上記記憶部１００cに記憶された上記複数の加熱設定条件のいずれかに基づいて上記被加熱物の加熱を行うように、上記加熱部５１を制御する加熱制御部１００aと、
上記加熱制御部１００aにより上記記憶部１００cに記憶された上記工場出荷時の加熱設定条件に基づく加熱調理が繰り返し連続して行われた回数をカウントするカウンタ１００eと、
上記カウンタ１００eによりカウントされた回数が予め設定された回数以上になったとき、上記記憶部１００cに記憶された上記工場出荷時の加熱設定条件とは異なる他の加熱設定条件での加熱調理を勧める提案をユーザーに報知する報知部５４と
を備えたことを特徴とする。
【００６７】
上記報知部５４は、液晶表示装置などを用いた表示部であってもよいし、音声を出力する音声出力部であってもよい。
【００６８】
上記構成によれば、記憶部１００cに記憶された工場出荷時の加熱設定条件に基づく加熱調理が加熱制御部１００aにより繰り返し連続して行われた回数をカウンタ１００eによりカウントし、そのカウンタ１００eによりカウントされた回数が予め設定された回数以上になったとき、報知部５４によって、記憶部１００cに記憶された工場出荷時の加熱設定条件とは異なる他の加熱設定条件での加熱調理を勧める提案をユーザーに報知する。これにより、ユーザーは、他の加熱設定条件での加熱調理もあることを認知して、工場出荷時の加熱設定条件のままで繰り返し連続して行っていた加熱調理を改めることが可能になる。
【００６９】
このように、工場出荷時の加熱設定条件で加熱調理を続けることがないように、ユーザーに他の加熱設定条件での加熱調理もあることを報知することによって、調理器が備える各機能の有効活用が図れると共に、ユーザーの利便性を向上できる。
【００７０】
また、一実施形態の加熱調理器では、
上記記憶部１００cに記憶された上記複数の加熱設定条件は、上記被加熱物に対する炊き方の条件である。
【００７１】
上記実施形態によれば、記憶部１００cに記憶された複数の加熱設定条件を、被加熱物に対する炊き方の条件とすることで、異なる炊き方を提案することが可能になり、加熱設定条件を工夫した様々なメニューの加熱調理に対応できる。
【００７２】
また、一実施形態の加熱調理器では、
上記加熱制御部１００aによる上記被加熱物の加熱調理をユーザーの操作により開始するための操作部４を有し、
上記報知部５４は、上記カウンタ１００eによりカウントされた回数が予め設定された回数以上になり、かつ、上記加熱調理を開始するためにユーザーが上記被加熱物の加熱調理を開始するために上記操作部４を操作したとき、上記工場出荷時の加熱設定条件とは異なる加熱設定条件での加熱調理を勧める提案をユーザーに報知する。
【００７３】
上記実施形態によれば、カウンタ１００eによりカウントされた回数が予め設定された回数以上になり、かつ、加熱調理を開始するためにユーザーが被加熱物の加熱調理を開始するために操作部４を操作したとき、報知部５４は、工場出荷時の加熱設定条件とは異なる加熱設定条件での加熱調理を勧める提案をユーザーに報知するので、例えば加熱調理の開始時にスタートボタンを操作したとき、加熱調理を開始せずにまず上記提案を行った後、そのまま加熱調理を開始するか、または、提案された加熱設定条件で加熱調理を行うかを選択する機会が得られ、利便性がより向上する。
【００７４】
また、一実施形態の加熱調理器では、
上記加熱部５１により上記被加熱物の加熱するための容器または加熱室と、
上記容器または上記加熱室を開閉する蓋体２または扉と、
上記蓋体２または上記扉の開閉を検出する開閉検出部５５と
を備え、
上記報知部５４は、上記カウンタ１００eによりカウントされた回数が予め設定された回数以上になり、かつ、上記開閉検出部５５が上記蓋体２または上記扉が閉状態から開状態になったことを検出したとき、上記工場出荷時の加熱設定条件とは異なる加熱設定条件での加熱調理を勧める提案をユーザーに報知する。
【００７５】
上記実施形態によれば、カウンタ１００eによりカウントされた回数が予め設定された回数以上になり、かつ、蓋体２(または扉)が閉状態から開状態になったことを開閉検出部５５が検出したとき、報知部５４は、工場出荷時の加熱設定条件とは異なる加熱設定条件での加熱調理を勧める提案をユーザーに報知するので、例えば加熱調理をするために蓋体２(または扉)を開いたとき、ユーザーが上記提案を受けて、そのまま加熱調理を開始するか、または、提案された加熱設定条件で加熱調理を行うかを選択する機会が得られ、利便性がより向上する。
【符号の説明】
【００７６】
１…炊飯器本体
２…蓋体
３…液晶表示部
４…操作ボタン群
５…表示操作部
６…フックボタン
７…電源コード
８…被係止部
９…ロック機構
１０…内鍋
１１…攪拌ユニット
１２…回転体
１３Ａ,１３Ｂ…第１,第２の攪拌アーム
１５…軸部
２０…連結部
２１…外蓋
２２…内蓋
２３…パッキン
２４…駆動モータ
２５…係止部
４１…炊飯スタートボタン
４２…洗米ボタン
４３…予約ボタン
４４…保温／取消ボタン
４５…炊飯選択ボタン
４６…お料理選択ボタン
４７…もどるボタン
４８…すすむボタン
４９…聞いてボタン
５０…加熱回路
５１…ヒータ
５２…内鍋温度センサ
５３…室内温度センサ
５４…音声出力部
５５…開閉センサ
１００…制御装置
１００a…加熱制御部
１００b…攪拌制御部
１００c…記憶部
１００d…加熱設定条件選択部
１００e…カウンタ
１００f…時計部
１０１…お米の種類表示部
１０２…炊き方表示部
１０３…お料理コース表示部
１０４…マイメニュー表示部
１０５…食感表示部
１０６…時間表示部
１０７…内部状態表示部